(57)【要約】【課題】廃棄時の分別回収のため、コンパクト容器蓋体裏面からの鏡取外しが容易に設けた。【解決手段】上面へ、弾性枠状部材３１を付設した鏡３０を蓋体頂壁１２の裏面へ穿設した大凹部１７内へ嵌合させて、該大凹部の対向する両垂直面を第１、第２垂直壁面１７ａ，１７ｂ　に、かつこれ等両垂直面に接する外枠部分を第１、第２外枠部分３１ａ，３１ｂ　とし、第１垂直壁面１７ａ　と第１外枠部分３１ａ　とは適宜方法で、又第２垂直壁面１７ｂ　と第２外枠部分３１ｂ　とは、第１、第２係合子３５，１８　を係合させて嵌合させておき、又第２垂直壁面１７ｂ　側方に小凹部１９を連通穿設して、該小凹部の大凹部側端部下面相互を架設板２０で連続し、該架設板と頂壁との間隙内へ先端部を挿入させて小凹部内へ操作部材４１を嵌合させ、該操作部材を大凹部側へ押出すことで、第１係合子３５が第２係合子１８から外れて鏡３０の取外しが可能とした。【選択図】　図１
2004033297.tif 000002
【特許請求の範囲】
【請求項１】
弾性枠状部材３１を上面に付設した鏡３０を蓋体頂壁１２の裏面に穿設した大凹部１７内へ嵌合させ、かつ該大凹部の対向する両垂直壁面の一方と他方とを第１、第２垂直壁面１７ａ，１７ｂ　に、又それ等第１、第２垂直壁面と接する上記枠状部材の外枠部分を第１、第２外枠部分３１ａ，３１ｂ　と定めて、第１垂直壁面と第１外枠部分とは適宜手段で、第２外枠部分と第２垂直壁面とはそれぞれに付設した第１係合子３５と第２係合子１８とを係合させておき、
上記第２垂直壁面１７ｂ　側方の頂壁部分に大凹部と連続させて設けた小凹部１９の左右垂直壁２１下端間の大凹部側に架設板２０を設けて、該架設板と頂壁との間隙内に先端部を挿入させて小凹部１９内へ操作部材４１を嵌合させ、大凹部側への操作部材押出しによる第２外枠部分３１ｂ　の弾性変形で、第１係合子３５が第２係合子１８から離脱して、大凹部１７内から枠状部材付き鏡を取出し可能に形成した
ことを特徴とするコンパクト容器の鏡付き蓋体。
【請求項２】
操作部材４１を断面逆Ｌ字状として、上記間隙内へ挿入させた平板部４２基端から把手４３を垂下し、又小凹部の左右垂直壁２１と平板部４２の左右両側面とに第３、第４係合子２２，４４　を横設させて操作部材４１の摺動が可能に係合させた
ことを特徴とする、請求項１記載のコンパクト容器の蓋体。
【発明の詳細な説明】
【０００１】
【発明の属する技術分野】
本発明はコンパクト容器の鏡付き蓋体に関する。
【０００２】
【従来の技術】
コンパクト容器はその蓋体頂壁の裏面へ通常鏡を付設している。
【０００３】
【発明が解決しようとする課題】
資源活用のため、異にする複数の材料で形成されている物品は、廃棄時各材料毎に分別して廃棄することが求められている。コンパクト容器は通常合成樹脂材で形成されているが、鏡は硝子製であるからその分別廃棄が必要となる。
【０００４】
本発明は蓋体裏面の鏡取外しが容易に設けたものである。
【０００５】
【課題を解決するための手段】
第１の手段として、弾性枠状部材３１を上面に付設した鏡３０を蓋体頂壁１２の裏面に穿設した大凹部１７内へ嵌合させ、かつ該大凹部の対向する両垂直壁面の一方と他方とを第１、第２垂直壁面１７ａ，１７ｂ　に、又それ等第１、第２垂直壁面と接する上記枠状部材の外枠部分を第１、第２外枠部分３１ａ，３１ｂ　と定めて、第１垂直壁面と第１外枠部分とは適宜手段で、第２外枠部分と第２垂直壁面とはそれぞれに付設した第１係合子３５と第２係合子１８とを係合させておき、
上記第２垂直壁面１７ｂ　側方の頂壁部分に大凹部と連続させて設けた小凹部１９の左右垂直壁２１下端間の大凹部側に架設板２０を設けて、該架設板と頂壁との間隙内に先端部を挿入させて小凹部１９内へ操作部材４１を嵌合させ、大凹部側への操作部材押出しによる第２外枠部分３１ｂ　の弾性変形で、第１係合子３５が第２係合子１８から離脱して、大凹部１７内から枠状部材付き鏡を取出し可能に形成した。
【０００６】
第２の手段として上記第１の手段を有すると共に、操作部材４１を断面逆Ｌ字状として、上記間隙内へ挿入させた平板部４２基端から把手４３を垂下し、又小凹部の左右垂直壁２１と平板部４２の左右両側面とに第３、第４係合子２２，４４　を横設させて操作部材４１の摺動が可能に係合させた。
【０００７】
【発明の実施の形態】
以下図面について説明すると、１はコンパクトの容器本体で該容器本体周壁２の後壁部２ａ後面には蓋体枢着用の凹部３を設け、又周壁の前壁部２ｂの左右方向中間部には、蓋体前部から垂下させる第２フック係合用の第１フック４を設け、かつ第１フックの下前方に、上記第２フックを押上げて開蓋させるための押釦５を装着させている。
【０００８】
１１は蓋体で、頂壁１２外周から容器本体周壁２上面へ載置させる周壁１３を垂下し、その後壁部１３ａ　からは、既述凹部３内へ嵌合させて軸板１４を垂下し、該軸板と凹部左右外方の容器本体後壁部の左右両部とをピン１５により枢着させている。頂壁前部からは既述第２フック１６を垂下させている。
【０００９】
上記頂壁１２の裏面へは、鏡３０を付設している。該鏡はその上面に図６が示すような弾性の枠状部材３１の中間部を両面テープ等で剥離可能に接着させており、該枠状部材は鏡３０とほぼ同一大きさの四角形状で、前後外枠部分で形成した第１、第２外枠部分３１ａ，３１ｂ　は細長の板状として左右方向中間部をリング３２付きの中枠板３３で連結し、又左右方向外枠部分で形成した第３、第４外枠部分３１ｃ，３１ｄ　はその中間部を内方へ張出しさせて巾広板とし、かつその前後方向中間部内縁と上記中間のリングとを短枠板３４，３４　で連結している。前後の第１、第２外枠部分３１ａ，３１ｂ　の各外面には突条の第１係合子３５，３５　を横設しており、上記巾広板部分へ両面テープ３６で鏡を貼着している。
【００１０】
枠状部材３１付きの鏡３０は、頂壁１２裏面へ突条周設により形成した大凹部１７内へ嵌合させる。大凹部１７の前後両垂直壁面が形成する第１、第２垂直壁面１７ａ，１７ｂ　の左右両部内面へは、既述第１係合子を嵌合させる凹状の第２係合子１８，１８　を穿設させる。但し第１垂直壁面１７ａ　と、第１外枠部分との係合は適宜方法で行ってもよい。
【００１１】
上記大凹部後方の第２垂直壁面１７ｂ　の左右方向中間部後方頂壁部分には、大凹部１７と連通させて小凹部１９を穿設する。該小凹部前端の左右垂直壁部分下端間には架設板２０を横設し、又左右垂直壁２１の上下方向中間部には第３係合子２２としての突条を図２、図３のように横設している。
【００１２】
上記小凹部１９内へは、図２が示すように、断面逆Ｌ字状に、平板部４２基端から把手４３を垂下させた操作部材４１を、その平板部４２先端を、上記架設板と架設板上方の頂壁部分との間隙内へ挿入させて嵌合させる。その平板部４２の左右側面には上記第３係合子２２上面へ係合する第４係合子４４，４４　を横設しており、小凹部１９内を前後方向へ摺動可能とし、把手４３を図３が示すように大凹部１７側へ押圧することで、第２外枠部分３１ｂ　が弾性変形して前方へ押込みされ、このとき、第１係合子３５，３５　が第２係合子１８，１８　から外れる。よって開蓋状態から上記のように操作部材４１の把手４３を前方へ押すことで鏡後部が大凹部１７内から外れるから、該鏡後部を持ち、枠状部材３１と共に鏡を蓋体裏面から外すことが出来ることとなる。
【００１３】
上記図示例にあっては小凹部１９を蓋体頂壁の後部側に設けたが、前部側又左右いずれかの側部側に設けてもよい。この場合は、左右外枠部分を細長の板状として弾性変形可能とする。又第１、第２係合子３５，１８　は双方共突条として第２係合子１８上面へ第１係合子３５を係合させてもよく、又第３、第４係合子は、その一方を凹条として該凹条内へ突条を嵌合させてもよい。尚鏡３０とピン１５とを除く部材はすべて合成樹脂製としている。
【００１４】
【発明の効果】
本発明は既述構成とするもので、請求項１記載のようにすることで、蓋体１１裏面から鏡３０を取外して分別廃棄することが容易である。尚枠状部材３１は鏡３０に付設したまま蓋体から外すこととなるが、該枠状部材３１は更に鏡から剥離すればよく、又鏡と共に廃棄してもよい。
【００１５】
請求項２のようにすることで、操作部材４１の操作摺動が容易となる。
【図面の簡単な説明】
【図１】本発明蓋体を有するコンパクト容器の断面図である。
【図２】図１要部の拡大図である。
【図３】図１状態から、鏡取外し方法を示す説明図である。
【図４】蓋体の底面図である。
【図５】蓋体の断面図である。
【図６】蓋体裏面の大凹部内へ枠状部材を嵌合させて示す底面図である。
【符号の説明】
１１　　…蓋体　　　　　　　　　　　　　　　　　　　　　　１３ａ　…後壁部
１７　　…大凹部　　　　　　　　　　　　　　　　　　　　１７ａ　…第１垂直壁面
１７ｂ　…第２垂直壁面　　　　　　　１８　　…第２係合子
１９　　…小凹部　　　　　　　　　　２０　　…架設板
３０　　…鏡　　　　　　　　　　　　　　　　　　　　　　３１　　…枠状部材
３１ａ　…第１外枠部分　　　　　　　　　　　　　　３１ｂ　…第２外枠部分
３５　　…第１係合子　　　　　　　　４１　　…操作部材
４２　　…平板部　　　　　　　　　　４３　　…把手
４４…第４係合子
【図１】
2004033297.tif 000003
【図２】
2004033297.tif 000004
【図３】
2004033297.tif 000005
【図４】
2004033297.tif 000006
【図５】
2004033297.tif 000007
【図６】
2004033297.tif 000008